(57)【要約】【課題】折り曲げて使用するフレキシブル基板の反力を抑えることができるフレキシブル配線板及び撮像装置を得る。【解決手段】フレキシブル配線板３０は、第１取付面８１、第１立面部１０２、中継部９４、第２立面部１０４、及び第２取付面８５が形成されている。第１立面部１０２と第２立面部１０４は、同一面上に位置している。また、第２取付面８５は固定されている。ここで、第１取付面８１をＸ軸方向に移動させるとき、第１立面部１０２と第２立面部１０４が同一面に位置しているので、中継部９４では、Ｘ軸方向に作用する力が、面外方向からの力として作用する。このため、中継部９４が曲がり、第１取付面８１と第２取付面８５に作用する反力は抑制される。【選択図】図３
2009128521.tif 000002
【特許請求の範囲】
【請求項１】
一枚のフレキシブル基板にスリットを形成して第１フレキシブル基板部と第２フレキシブル基板部に分割すると共に、前記第１フレキシブル基板部と前記第２フレキシブル基板部をつなぐ中継基板部を残し、
前記第１フレキシブル基板部に第１折曲部を設けて前記中継基板部側を立上げて第１立面部とし、
前記第１折曲部を基準として前記第１立面部の反対側を第１電極を設けた第１取付面とし、
前記第２フレキシブル基板部に第２折曲部を設けて前記中継基板部側を立上げて第２立面部とし、
前記第２折曲部を基準として前記第２立面部の反対側を第２電極を設けた第２取付面とし、
前記第１電極と前記第２電極を接続する配線部を、前記第１取付面、前記第１立面部、前記中継基板部、前記第２立面部、及び前記第２取付面に設けたことを特徴とするフレキシブル配線板。
【請求項２】
前記スリットがＵ字状に形成され、
前記Ｕ字状のスリットの内側が前記第２フレキシブル基板部、外側が前記第１フレキシブル基板部であり、  
前記配線部が、２つの第１フレキシブル基板部に分割されて配置されていることを特徴とする請求項１に記載のフレキシブル配線板。
【請求項３】
前記中継基板部から前記第２フレキシブル基板部の中央部へ切り込み前記第２取付面を切り残す補助スリットを形成し、前記補助スリットの両側に前記配線部を形成したことを特徴とする請求項２に記載のフレキシブル配線板。
【請求項４】
前記第１立面部の上部及び前記第２立面部の上部に、前記スリットを横断する第３折曲部を設けたことを特徴とする請求項１から請求項３のいずれか１項に記載のフレキシブル配線板。
【請求項５】
前記中継基板部を前記スリットの両端に設けて、前記第１フレキシブル基板部と前記第２フレキシブル基板部をつなぎ、２つの中継基板部に分割して、前記配線部を配置したことを特徴とする請求項１に記載のフレキシブル配線板。
【請求項６】
前記スリットの長さ方向に沿って前記中継基板を折り曲げて、第１立面部と前記第２立面部が成す角度を直角としたことを特徴とする請求項１に記載のフレキシブル配線板。
【請求項７】
請求項１から請求項６のいずれか１項に記載のフレキシブル配線板と、
前記第１電極に接続された撮像素子と、
前記第２電極が接続及び固定され、前記撮像素子を駆動する駆動手段と、
前記撮像素子を面内２軸方向へ移動させる移動手段と、
を有することを特徴とする撮像装置。
【発明の詳細な説明】
【技術分野】
【０００１】
本発明は、フレキシブル配線板及び撮像装置に関する。
【背景技術】
【０００２】
デジタルカメラには、撮影時の手振れによる画像振れを補正する手振れ補正機能が設けられている。手振れ補正機能は、手振れによるカメラの移動に合わせて、撮像素子又は光学部品が取付けられた可動部が移動され、カメラ本体内に固定された回路基板で信号処理等が行われることにより画像振れを抑えている。可動部の移動は、ボイスコイルモータやステッピングモータなどで行われる。
【０００３】
ここで、可動部と回路基板を電気的に接続させ、且つ可動部の移動の負荷を抑えるために、折曲部を設けたフレキシブル配線板が用いられている（例えば、特許文献１参照）。特許文献１のフレキシブル配線板は、フレキシブル基板が複数箇所折り曲げられ、平面部から立ち上げられて、略Ｕの字形の折曲部が形成されている。
【特許文献１】特開２００７−１２２０２０号公報
【発明の開示】
【発明が解決しようとする課題】
【０００４】
しかし、特許文献１のフレキシブル配線板は、組立て段階で折曲部の折曲角度を９０°に一定させることは困難であるにもかかわらず、フレキシブル基板が取付けられたとき、折曲部の折曲角度が９０°となるように可動部と回路基板が配置されているため、折曲部に反力が作用していた。
【０００５】
本発明は、折り曲げて使用するフレキシブル基板の反力を抑えることができるフレキシブル配線板及び撮像装置を得ることを目的とする。
【課題を解決するための手段】
【０００６】
本発明の請求項１に係るフレキシブル配線板は、一枚のフレキシブル基板にスリットを形成して第１フレキシブル基板部と第２フレキシブル基板部に分割すると共に、前記第１フレキシブル基板部と前記第２フレキシブル基板部をつなぐ中継基板部を残し、前記第１フレキシブル基板部に第１折曲部を設けて前記中継基板部側を立上げて第１立面部とし、  前記第１折曲部を基準として前記第１立面部の反対側を第１電極を設けた第１取付面とし、前記第２フレキシブル基板部に第２折曲部を設けて前記中継基板部側を立上げて第２立面部とし、前記第２折曲部を基準として前記第２立面部の反対側を第２電極を設けた第２取付面とし、前記第１電極と前記第２電極を接続する配線部を、前記第１取付面、前記第１立面部、前記中継基板部、前記第２立面部、及び前記第２取付面に設けたことを特徴としている。
【０００７】
上記構成によれば、第１立面部と第２立面部を同一面上に位置させることで、第１折曲部と第２折曲部に直交する方向の力が、端部を介して第１取付面と第２取付面に作用すると、中継基板部では面外方向からの力として作用する。ここで、中継基板部において、面内方向から作用する力よりも、面外方向から作用する力の方が中継基板部が曲がり易い。このため、中継基板部が曲がることにより、第１立面部、第２立面部から第１取付面、第２取付面に作用する反力は抑制される。
【０００８】
また、第１折曲部、第２折曲部と平行に、力が、第１立面部、第２立面部を介して第１取付面、第２取付面に作用すると、中継基板部には面内方向の力が作用することになるが、第１立面部と第２立面部が、スリットの大きさだけ面内方向に変位できるので、第１立面部と第２立面部から第１取付面と第２取付面に作用する反力が抑制される。
【０００９】
本発明の請求項２に係るフレキシブル配線板は、前記スリットがＵ字状に形成され、前記Ｕ字状のスリットの内側が前記第２フレキシブル基板部、外側が前記第１フレキシブル基板部であり、前記配線部が、２つの第１フレキシブル基板部に分割されて配置されていることを特徴としている。
【００１０】
上記構成によれば、配線部が２つの第１フレキシブル基板部に分割されることにより、分割された配線部の幅が狭くなる。これにより、中継基板の幅が狭くなり、スリットの長さが長くなって、第１フレキシブル基板部及び第２フレキシブル基板部が、スリットの長さ方向と交差する方向に移動するときの負荷が低減されるので、第１フレキシブル基板部及び第２フレキシブル基板部の移動が容易となる。
【００１１】
本発明の請求項３に係るフレキシブル配線板は、前記中継基板部から前記第２フレキシブル基板部の中央部へ切り込み前記第２取付面を切り残す補助スリットを形成し、前記補助スリットの両側に前記配線部を形成したことを特徴としている。上記構成によれば、第２フレキシブル基板部の移動方向のスリットの数が増えるので、第２フレキシブル基板部の移動が容易となる。
【００１２】
本発明の請求項４に係るフレキシブル配線板は、前記第１立面部の上部及び前記第２立面部の上部に、前記スリットを横断する第３折曲部を設けたことを特徴としている。上記構成によれば、第１立面部及び第２立面部において、全てスリットのある領域となるので、例えば、第１電極が第２電極と接離する方向に移動するときに、中継基板部によって移動が抑制されず、第１電極の移動の負荷が低減される。
【００１３】
本発明の請求項５に係るフレキシブル配線板は、前記中継基板部を前記スリットの両端に設けて、前記第１フレキシブル基板部と前記第２フレキシブル基板部をつなぎ、２つの中継基板部に分割して、前記配線部を配置したことを特徴としている。
【００１４】
上記構成によれば、スリットの長さ方向における第１電極又は第２電極の移動時には、対向する１組の第１フレキシブル基板部、又は対向する１組の第２フレキシブル基板部が、それぞれ平行四辺形状に変形することにより、第１電極又は第２電極に余計な負荷を与えずに移動させることができる。
【００１５】
また、スリットの長さ方向と交差する方向における第１電極又は第２電極の移動時には、スリットによって第１フレキシブル基板部と第２フレキシブル基板部の移動がそれぞれ邪魔されないため、移動が容易となる。このように、第１電極又は第２電極の２方向の移動が容易となる。
【００１６】
本発明の請求項６に係るフレキシブル配線板は、前記スリットの長さ方向に沿って前記中継基板を折り曲げて、第１立面部と前記第２立面部が成す角度を直角としたことを特徴としている。上記構成によれば、第１立面部と第２立面部の間の角度が直角であるため、第１フレキシブル基板部又は第２フレキシブル基板部を移動させるときに、第１立面部と第２立面部を独立して移動させることが容易となる。このため、第１フレキシブル基板部及び第２フレキシブル基板部の移動が容易となる。
【００１７】
本発明の請求項７に係る撮像装置は、請求項１から請求項６のいずれか１項に記載のフレキシブル配線板と、前記第１電極に接続された撮像素子と、前記第２電極が接続及び固定され、前記撮像素子を駆動する駆動手段と、前記撮像素子を面内２軸方向へ移動させる移動手段と、を有することを特徴としている。
【００１８】
上記構成によれば、第２電極が駆動手段に固定されており、第１電極が移動可能となっている。ここで、フレキシブル配線板の第１電極又は第２電極に反力が作用しにくく、第１電極又は第２電極の変位が容易となるので、移動面内における移動手段による撮像素子の移動が容易となる。これにより、撮像装置の手ぶれ補正のための撮像素子の移動精度が上がり、撮像装置の手ぶれ補正の精度が上がる。
【００１９】
また、撮像素子を搭載した第１電極又は第２電極に反力が作用しにくいことから、例えば、第１電極又は第２電極を移動させる移動手段がモータの場合、モータの出力を抑えて小型化でき、撮像装置の小型化が可能となる。
【発明の効果】
【００２０】
本発明は、上記構成としたので、折り曲げて使用するフレキシブル基板の反力を抑えることができる。
【発明を実施するための最良の形態】
【００２１】
本発明のフレキシブル配線板及び撮像装置の第１実施形態を図面に基づき説明する。
【００２２】
図１には、撮像装置としてのデジタルカメラ１０が示されている。デジタルカメラ１０は、デジタルカメラ１０の本体を構成する前カバー１２及び後カバー１４を有している。      
【００２３】
前カバー１２は、被写体の画像を結像するためのレンズ１６が挿通される開口部１８が形成されている。前カバー１２の内側には、デジタルカメラ１０の各部に電源を供給する電源部２０と、撮影時に必要に応じて発光されるフラッシュ装置２２と、撮影動作を開始するスイッチボタン２４と、が設けられている。
【００２４】
一方、後カバー１４の内側には、レンズ１６から入射された光を受光し、撮像データに変換するＣＣＤ（Charge Coupled Devices)素子３６を有する撮像モジュール２６が設けられている。撮像モジュール２６の内部には、所定の回路パターンが形成されＣＣＤ素子３６が実装されたフレキシブル配線板３０が配置されている。また、撮像モジュール２６の一方の側面（紙面左側）から、フレキシブル配線板３０の自由端側（両端のうち、ＣＣＤ素子３６の実装部と反対側）が突出されている。
【００２５】
フレキシブル配線板３０の自由端側の先端に設けられた複数の端子からなる接続端子部８２（図３（ａ）参照）は、所定の回路パターンが形成され撮像モジュール２６を駆動する駆動回路２８に設けられた上接点タイプのコネクタ２９に接続されている。これにより、撮像モジュール２６及び駆動回路２８が電気的に接続されている。また、撮像モジュール２６におけるＣＣＤ素子３６の前面側には、前述のレンズ１６が配置されている。
【００２６】
駆動回路２８は、所定の回路パターンが形成されたリジット基板３８上に、ＩＣ等からなるプログラムユニット４０が設けられている。プログラムユニット４０は、前述のスイッチボタン２４が押されると、図示しないオートフォーカス機構を駆動してレンズ１６を焦点方向に移動させるとともに、ＣＣＤ素子３６を動作させて画像データを取り込み、図示しないＳＤカード等の記憶手段に画像データを記憶させるようになっている。
【００２７】
図２（ａ）及び図２（ｂ）に示すように、撮像モジュール２６は、フレキシブル配線板３０と、フレキシブル配線板３０が固定され矢印Ｘ方向に変位可能な第１ステージ３２と、第１ステージ３２が内側に取り付けられ矢印Ｙ方向に変位可能な第２ステージ３４と、で構成されている。
【００２８】
第１ステージ３２は、フレキシブル配線板３０におけるＣＣＤ素子３６の実装面と反対側の面が接着等により固定される載置部４２が形成されている。載置部４２を囲むようにして立設された第１ステージ３２の側壁４４のうち、下方側に配置された側壁４４の外面には、外形が略コの字形状で凹部４７を有する係合部４６が一体成型により形成されている。
【００２９】
また、側壁４４のうち、駆動回路２８と対向する部分には、フレキシブル配線板３０の幅に合わせた大きさの切欠部４８が形成されている。そして、フレキシブル配線板３０の自由端側が、切欠部４８から引き出されるようになっている。  
【００３０】
第２ステージ３４は、第１ステージ３２を内側に収容する収容部５０が形成されている。収容部５０の底面上には、前述の駆動回路２８によって矢印Ｘ方向に駆動される第１アクチュエータ部５２が設けられている。
【００３１】
第１アクチュエータ部５２は、駆動回路２８によって通電される圧電素子（図示せず）が設けられた駆動部５４と、収容部５０の底面上に立設された平板状の支持部５５との間に架設され、駆動部５４の圧電素子の変位によって矢印Ｘ方向（正方向、負方向）に変位されるシャフト部５６とを有している。
【００３２】
シャフト部５６は、収容部５０の底面と略平行に配置されている。また、シャフト部５６は、外径の大きさが、前述の第１ステージ３２における係合部４６の凹部４７の内形の大きさと略等しくなっており、シャフト部５６の軸方向と交差する方向に、図示しない溝部が形成されている。
【００３３】
ここで、第１ステージ３２が第２ステージ３４の収容部５０に収容され、凹部４７がシャフト部５６の溝部と係合されることにより、係合部４６とシャフト部５６が一体で変位可能となり、第１ステージ３２が第２ステージ３４に対して、矢印Ｘ方向（正、負）に変位可能となっている。なお、収容された第１ステージ３２の上側の側壁４４には、収容部５０に形成された図示しない略Ｌ字形状のガイドレール部が接触しており、第１ステージ３２を略鉛直方向に保持している。
【００３４】
また、第２ステージ３４には、ＣＣＤ素子３６の表面が露出され、前述のレンズ１６（図１参照）と対向するように、開口部５８が形成されている。さらに、第２ステージ３４の右側の側壁６０の外面には、外形が略コの字形状で凹部６２を有する係合部６４が一体成型により形成されている。
【００３５】
一方、図２（ａ）に示すように、後カバー１４の内壁面上には、前述の駆動回路２８によって矢印Ｙ方向に駆動される第２アクチュエータ部６６が設けられている。第２アクチュエータ部６６は、駆動回路２８によって通電される圧電素子（図示せず）が設けられた駆動部６８と、後カバー１４の内壁面上に立設された平板状の支持部７０との間に架設され、駆動部６８の圧電素子の変位によって矢印Ｙ方向（正方向、負方向）に変位されるシャフト部７２とを有している。
【００３６】
シャフト部７２は、後カバー１４の内壁面と略平行に配置されている。また、シャフト部７２は、外径の大きさが、前述の係合部６４の凹部６２の内形の大きさと略等しくなっており、シャフト部７２の軸方向と交差する方向に、図示しない溝部が形成されている。
【００３７】
ここで、第２ステージ３４が、第１ステージ３２及びフレキシブル配線板３０を収容した状態で、凹部６２がシャフト部７２の溝部と係合されることにより、係合部６４とシャフト部７２が一体で変位可能となり、第２ステージ３４が、後カバー１４の内壁面に対して矢印Ｙ方向（正、負）に変位可能となっている。なお、第２ステージ３４の左側の側壁７４には、後カバー１４の内壁面に形成された図示しない略Ｌ字形状のガイドレール部が接触しており、第２ステージ３４を略鉛直方向に保持している。
【００３８】
一方、図１において、駆動回路２８には図示しない加速度センサが設けられており、撮影者の手振れによって、デジタルカメラ１０の光軸が矢印Ｘ、Ｙ方向にぶれたとき、矢印Ｘ、Ｙ方向の本来の光軸からのずれ量を検出するようになっている。
【００３９】
駆動回路２８は、この検出されたＸ、Ｙ方向のずれ量に応じて、第１アクチュエータ部５２及び第２アクチュエータ部６６を駆動して、第１ステージ３２及び第２ステージ３４をＸ、Ｙ方向へ変位させる。これにより、ＣＣＤ素子３６が、ＣＣＤ素子３６の撮像面と平行な移動面内でＸ、Ｙ方向に変位（移動）して、デジタルカメラ１０の手振れ補正が行なわれるようになっている。
【００４０】
次に、フレキシブル配線板３０について説明する。図３（ａ）は、折り曲げ前のフレキシブル配線板３０をＣＣＤ素子３６の取付け面側から見た状態を示している。また、図３（ｂ）は、折り曲げ後のフレキシブル配線板３０の駆動回路２８への接続状態を示している。
【００４１】
フレキシブル配線板３０は、ポリイミドフィルム、あるいは、ＰＥＴフィルム等の樹脂からなるフレキシブル基板８４を基材としている。フレキシブル基板８４の一方の面には、銅箔からなる複数の配線８６が形成されている。配線８６は、ＣＣＤ素子３６の図示しない各端子と接続端子部８２の各端子とをそれぞれ電気的に接続している。配線８６の表面には、ポリイミドフィルムからなるカバーレイが載置され、加熱及び圧着処理されて配線８６を覆っている。
【００４２】
また、フレキシブル配線板３０は、フレキシブル基板８４の自由端側に、端部がＲ状の１本のスリット８８が形成されている。このスリット８８によって、フレキシブル基板８４が、第１可撓部９０、第２可撓部９２に分割されると共に、第１可撓部９０と第２可撓部９２をつなぐ中継部９４が残されている。
【００４３】
ここで、フレキシブル基板８４において、配線８６がスリット８８の端部を廻りこむようにして略円弧形状となっている領域を中継部９４とし、中継部９４を基準として接続端子部８２側を第２可撓部９２、ＣＣＤ３６（図１参照）が実装される側を第１可撓部９０として区分している。第１可撓部９０には、配線８６の配線方向と直交する方向に第１折曲線９６が設定されている。また、第２可撓部９２には、配線８６の配線方向と直交する方向に第２折曲線９８が設定されている。
【００４４】
第１可撓部９０において、第１折曲線９６を基準として中継部９４と反対側の領域の面を第１取付面８１としている。第１取付面８１には、ＣＣＤ素子３６（図１参照）の各端子に合わせて配置された複数の電極パッドからなる実装電極部８３が設けられている。
【００４５】
なお、第２可撓部９２において、第２折曲線９８を基準として中継部９４と反対側の領域の面を第２取付面８５としている。前述の接続端子部８２は、第２取付面８５に設けられていることになる。また、第１折曲線９６及び第２折曲線９８で折り曲げられる前に、ＣＣＤ素子３６が、実装電極部８３に半田付けされる。
【００４６】
図３（ｂ）に示すように、フレキシブル配線板３０の製造時において、フレキシブル基板８４の第１可撓部９０は、第１折曲線９６で折り曲げられ、中継部９４側が立上げられて、第１立面部１０２が形成される。一方、第２可撓部９２は、第２折曲線９８で第１折曲線９６と逆方向に折り曲げられ、中継部９４側が立上げられて、第２立面部１０４が形成される。ここで、共通の中継部９４が立上げられたことにより、第１立面部１０２と第２立面部１０４は、同一平面内に配置される。なお、配線８６は、第１可撓部９０、第１立面部１０２、中継部９４、第２立面部１０４、及び第２可撓部９２に設けられることになるが、図示は省略している。
【００４７】
続いて、接続端子部８２が、駆動回路２８のコネクタ２９に挿入されて接続されることにより、第２取付面８５側が固定される。一方、第１取付面８１側は、第１ステージ３２（図２（ｂ）参照）に接着固定される。そして、前述の撮像モジュール２６やレンズ１６等（図１参照）の各部品が取付けられ、デジタルカメラ１０が組み立てられる。
【００４８】
次に、本発明の第１実施形態の作用について説明する。まず、本発明との比較例として、従来用いられているフレキシブル配線板３００について説明する。
【００４９】
図４（ａ）に示すように、比較例のフレキシブル配線板３００は、第１折曲線３０４で折り曲げられ、ＣＣＤ素子３６が実装された第１取付面３０２から、第１立面部３０６が立上げられている。また、フレキシブル配線板３００は、第２折曲線３１２で折り曲げられ、接続端子部３０８が設けられた第２取付面３１０から、第２立面部３１４が立上げられている。第１立面部３０６と第２立面部３１４は、第３折曲線３０５と第４折曲線３０７でそれぞれ折り曲げられ、中継部３１６が形成されている。
【００５０】
ＣＣＤ素子３６（第１取付面３０２）は、図示しない撮像モジュールのアクチュエータでＸ軸、Ｙ軸方向にそれぞれ移動されるようになっており、接続端子部３０８は、撮像モジュールを駆動する図示しない駆動回路のコネクタに接続固定されている。
【００５１】
はじめに、方向及び原点位置を定義する。ＣＣＤ素子３６と接続端子部３０８が並ぶ方向をＸ軸方向として、ＣＣＤ素子３６と接続端子部３０８が近づく方向をプラス（Ｘ＋）方向、離れる方向をマイナス（Ｘ−）方向とする。また、Ｘ軸方向において、ＣＣＤ素子３６と接続端子部３０８の初期設定位置（原点位置）は、第１立面部３０６と中継部３１６の成す角度が９０°、第２立面部３１４と中継部３１６の成す角度が９０°と設定したときの位置とする。
【００５２】
さらに、ＣＣＤ素子３６と接続端子部３０８との間隔を広げる方向に作用する反力をプラス（Ｐ＋）反力とし、間隔を狭めようとする方向に作用する反力をマイナス（Ｐ−）反力とする。なお、Ｘ軸と直交する方向がＹ軸方向となる。
【００５３】
ここで、比較例のフレキシブル配線板３００の折曲角度の第１パターンとして、第１立面部３０６と中継部３１６の成す角度がα１（９０°＜α１＜１８０°）、第２立面部３１４と中継部３１６の成す角度がα２（９０°＜α２＜１８０°）であったとする。
【００５４】
この状態のフレキシブル配線板３００を前述の原点位置に配置すると、接続端子部３０８側は固定されているので、第１立面部３０６から第１取付面３０２へ、ＣＣＤ素子３６と接続端子部３０８の間隔を広げて元の位置に戻そうとするプラス反力（ＰＢ＋）が作用する。さらに、原点位置からＸ＋方向へ向けてＣＣＤ素子３６を接続端子部３０８に近づけると、第１立面部３０６から第１取付面３０２へ作用するプラス反力が大きくなり、反力がＰ１＋となる。
【００５５】
逆に、原点位置からＸ−方向へ向けてＣＣＤ素子３６を接続端子部３０８から離すと、プラス反力が低下し、第１立面部３０６と中継部３１６の成す角度がα１、第２立面部３１４と中継部３１６の成す角度がα２の位置において、Ｘ軸方向の反力≒０となる。さらにＸ−方向へ離すと、今度はＣＣＤ素子３６と接続端子部３０８の間隔を狭めて元の位置に戻そうとするマイナス反力（Ｐ１−）が作用する。
【００５６】
ここで、図５には、Ｘ軸方向の変位量と、第１折曲線３０４及び第２折曲線３１２に作用する反力との関係がグラフで示されている。図５において、第１折曲線３０４及び第２折曲線３１２の折り曲げ時に、第１立面部３０６と中継部３１６の成す角度がα１、第２立面部３１４と中継部３１６の成す角度がα２となったときは、Ｘ軸方向の変位量と反力との関係がグラフＢのようになる。
【００５７】
続いて、図４（ｂ）に示すように、比較例のフレキシブル配線板３００の折曲角度の第
２パターンとして、第１立面部３０６と中継部３１６の成す角度がα３（０°＜α３＜９０°）、第２立面部３１４と中継部３１６の成す角度がα４（０°＜α４＜９０°）であったとする。
【００５８】
この状態のフレキシブル配線板３００を前述の原点位置に配置すると、第３折曲線３０５及び第４折曲線３０７では、ＣＣＤ素子３６と接続端子部３０８の間隔を狭めて元の位置に戻そうとするマイナス反力（ＰＣ−）が作用する。
【００５９】
ここで、原点位置からＸ＋方向へ向けてＣＣＤ素子３６を接続端子部３０８に近づけると、マイナス反力が低下し、第１立面部３０６と中継部３１６の成す角度がα３、第２立面部３１４と中継部３１６の成す角度がα４の位置において、Ｘ軸方向の反力＝０となる。さらに、原点位置からＸ＋方向へ向けてＣＣＤ素子３６を接続端子部３０８に近づけると、第３折曲線３０５及び第２折曲線３０７に作用するプラス反力が大きくなり、反力がＰ２＋となる。
【００６０】
逆に、原点位置からＸ−方向へ向けてＣＣＤ素子３６を接続端子部３０８から離すと、ＣＣＤ素子３６と接続端子部３０８の間隔を狭めて元の位置に戻そうとするマイナス反力がさらに作用し、反力がＰ２−となる。このように、折り曲げ時に第１立面部３０６と中継部３１６の成す角度がα３、第２立面部３１４と中継部３１６の成す角度がα４となったときは、Ｘ軸方向の変位量と反力との関係がグラフＣのようになる。
【００６１】
比較例の折曲角度の第１、第２パターンは、実際のフレキシブル配線板３００の組立工程において両方とも起こり得る。このため、比較例のフレキシブル配線板３００を用いるとき、ＣＣＤ素子３６を接続端子部３０８に対して±Ｘで変位（移動）させるためには、Ｐ２−からＰ１＋までの広い範囲の反力に影響されない大きな推進力を与えなければならない。これは、ＣＣＤ素子３６の移動手段の大型化にもつながり、移動のためのエネルギーを多く必要とするだけでなく、小型化が難しくなる。
【００６２】
なお、比較例におけるＣＣＤ素子３６のＸ軸方向の移動について検討したが、ＣＣＤ素子３６のＹ軸方向の移動についても、第１立面部３０６が第２立面部３１４に対して常にずれる方向に移動するため、中継部３１６にねじり力による反力が作用する。これにより、移動手段は、反力に影響されない大きな推進力を与えなければならない。
【００６３】
一方、図３（ｂ）に示すように、本発明のフレキシブル配線板３０は、ＣＣＤ素子３６をＸ軸方向に移動させたときに、端部を介して第１取付面８１と第２取付面８５にＸ軸方向の力が作用する。ここで、第１立面部１０２と第２立面部１０４が同一面に配置されているため、中継部９４では、このＸ軸方向の力が面外方向からの力として作用する。
【００６４】
中継部９４において、中継部９４の面内方向から作用する力よりも、面外方向から作用する力の方が中継部９４が曲がり易い。このため、中継部９４が曲がることにより、第１立面部１０２、第２立面部１０４から第１取付面８１、第２取付面８５に作用する反力は抑制される。
【００６５】
ここで、フレキシブル配線板３０のＸ軸方向の変位に対する反力の大きさをグラフに表すと、図５のグラフＡのようになる。図５のグラフＡ、Ｂ、Ｃを比較して分かるように、本発明のフレキシブル配線板３０は、Ｘ軸方向に±Ｘで変位させたときに、ＣＣＤ素子３６の移動に影響する反力の範囲がＰ０−からＰ０＋の間となり、比較例のフレキシブル配線板３００と比べて、ＣＣＤ素子３６の移動手段の必要とされる推進力を抑えることができる。これにより、ＣＣＤ素子３６の移動手段の小型化が可能となる。
【００６６】
また、第１折曲線９６、第２折曲線９８と平行に、Ｙ軸方向の力が、第１立面部１０２、第２立面部１０４を介して第１取付面８１、第２取付面８５に作用すると、中継部９４には面内方向の力が作用することになるが、第１立面部１０２と第２立面部１０４が、スリット８８の大きさだけ面内方向に変位できるので、第１立面部１０２と第２立面部１０４から第１取付面８１と第２取付面８５に作用する反力が抑制される。これにより、比較例と比べて、ＣＣＤ素子３６のＹ軸方向の移動に影響する反力を抑えられる。
【００６７】
以上説明したように、本発明のフレキシブル配線板３０は、第１立面部１０２と第２立面部１０４を同一面上に位置させることで、第１取付面８１、第２取付面８５に作用する面内ＸＹ軸方向の反力が抑えられる。これにより、デジタルカメラ１０の手ぶれ補正のためのＣＣＤ素子３６の移動精度が上がり、デジタルカメラ１０の手ぶれ補正の精度が上がる。また、ＣＣＤ素子３６を搭載した実装電極部８３又は接続端子部８２に反力が作用しにくいことから、例えば、ＣＣＤ素子３６を移動させる移動手段がモータの場合、モータの出力を抑えて小型化でき、デジタルカメラ１０の小型化が可能となる。
【００６８】
なお、第１実施形態の他の実施例として、図６（ａ）及び図６（ｂ）に示すフレキシブル配線板１１０のように構成してもよい。フレキシブル配線板１１０は、フレキシブル配線板３０の中継部９４を、Ｙ軸方向側に配置した形状となっている。
【００６９】
フレキシブル配線板１１０において、第１立面部１０２と第２立面部１０４が同一面上に位置しているので、Ｙ軸方向の移動時又は静止時に第１取付面８１と第２取付面８５に作用する反力を抑えられる。また、スリット８８の大きさだけ第１立面部１０２と第２立面部１０４が自由に移動できるので、Ｘ軸方向の移動時又は静止時に第１取付面８１と第２取付面８５に作用する反力を抑えられる。
【００７０】
次に、本発明のフレキシブル配線板及び撮像装置の第２実施形態を図面に基づき説明する。なお、前述した第１実施形態と基本的に同一のものには、前記第１実施形態と同一の符号を付与してその説明を省略する。
【００７１】
図７（ａ）及び図７（ｂ）には、フレキシブル配線板１２０が示されている。フレキシブル配線板１２０は、ポリイミドフィルム、あるいは、ＰＥＴフィルム等の樹脂からなるフレキシブル基板１２２を基材としている。また、フレキシブル配線板１２０は、抜き加工により、フレキシブル基板１２２にＵ字状の１本のスリット１２４が形成されている。
【００７２】
フレキシブル基板１２２は、スリット１２４によって、第１可撓部１２６と第２可撓部１２８に分割されると共に、第１可撓部１２６と第２可撓部１２８をつなぐ中継部１３０が残されている。なお、スリット１２４の外側が第１可撓部１２６、内側が第２可撓部１２８となっている。
【００７３】
第１可撓部１２６には、ＣＣＤ素子３６（図１参照）が半田付けにより実装される実装電極部８３が設けられている。一方、第２可撓部１２８の端部には、図示しないＣＣＤ素子３６の駆動回路に接続される接続端子部８２が設けられている。実装電極部８３と接続端子部８２は、配線８６（８６Ａ、８６Ｂ）によって電気的に接続されている。なお、配線８６は、２つの第１可撓部１２６に分割されて配置されている。
【００７４】
また、第１可撓部１２６には、配線８６Ａ、８６Ｂの配線方向と直交する方向に第１折曲線９６Ａ、９６Ｂが設定されており、第２可撓部１２８には、配線８６Ａ、８６Ｂの配線方向と直交する方向に第２折曲線９８が設定されている。
【００７５】
ここで、第１可撓部１２６において、第１折曲線９６Ａ、９６Ｂを基準として中継部１３０と反対側の領域の面を第１取付面１３２としている。また、第２可撓部１２８において、第２折曲線９８を基準として中継部１３０と反対側の領域の面を第２取付面１３４としている。第１折曲線９６Ａ、９６Ｂ、及び第２折曲線９８で折り曲げられる前に、ＣＣＤ素子３６が、実装電極部８３に半田付けされる。
【００７６】
図７（ｂ）に示すように、フレキシブル配線板１２０の製造時において、第１可撓部１２６は、第１折曲線９６Ａ、９６Ｂで折り曲げられ、中継部１３０側が立上げられて、第１立面部１３６が形成される。一方、第２可撓部１２８は、第２折曲線９８で第１折曲線９６Ａ、９６Ｂと逆方向に折り曲げられ、中継部１３０側が立上げられて、第２立面部１３８が形成される。ここで、共通の中継部１３０が立上げられたことにより、第１立面部１３６と第２立面部１３８は、同一平面内に配置される。なお、配線８６の図示は省略している。
【００７７】
続いて、接続端子部８２が、駆動回路２８のコネクタ２９に挿入されて接続されることにより、第２取付面１３４側が固定される。一方、第１取付面１３２側は、第１ステージ３２（図２（ｂ）参照）に接着固定される。そして、前述の撮像モジュール２６やレンズ１６等（図１参照）の各部品が取付けられ、デジタルカメラ１０が組み立てられる。
【００７８】
次に、本発明の第２実施形態の作用について説明する。
【００７９】
図７（ｂ）に示すように、フレキシブル配線板１２０において、ＣＣＤ素子３６をＸ軸方向に移動させたときに、端部を介して第１取付面１３２と第２取付面１３４にＸ軸方向の力が作用する。ここで、第１立面部１３６と第２立面部１３８が同一面に配置されているため、中継部１３０では、このＸ軸方向の力が面外方向からの力として作用する。
【００８０】
中継部１３０において、中継部１３０の面内方向から作用する力よりも、面外方向から作用する力の方が中継部１３０が曲がり易い。このため、中継部１３０が曲がることにより、第１立面部１３６、第２立面部１３８から第１取付面１３２、第２取付面１３４に作用する反力は抑制される。
【００８１】
フレキシブル配線板１２０のＹ軸方向については、ＣＣＤ素子３６がＹ軸方向へ移動したとき、第１立面部１３６と第２立面部１３８が、２箇所のスリット１２４の大きさだけ、第１立面部１３６及び第２立面部１３８を含む面内方向に自由に変位できるので、第１立面部１３６と第２立面部１３８から第１取付面１３２と第２取付面１３４に作用する反力が抑えられる。
【００８２】
また、配線８６が配線８６Ａ、８６Ｂに分割されているので、分割された各配線８６Ａ、８６Ｂの幅が狭くなる。これにより、中継部１３０の幅が狭くなりスリット１２４の長さが長くなって、第１可撓部１２６及び第２可撓部１２８がＹ軸方向に相対的に移動するときの反力（負荷）が低減されるので、ＣＣＤ素子３６のＹ軸方向の移動が容易となる。
【００８３】
なお、第２実施形態の他の実施例として、図８（ａ）及び図６（ｂ）に示すフレキシブル配線板１４０のように構成してもよい。フレキシブル配線板１４０は、フレキシブル配線板１２０の中継部１３０から第２可撓部１２８の中央部へ切り込み、第２取付面１３４を切り残す補助スリット１４２を形成し、補助スリット１４２の両側に配線８６Ａ、８６Ｂを形成している。
【００８４】
フレキシブル配線板１４０は、Ｘ軸方向の反力については、前述のフレキシブル配線板１２０（図７参照）と同様に反力を抑えることができる。また、Ｙ軸方向の反力については、第２可撓部１２８の移動方向（Ｙ軸方向）のスリットが、２箇所のスリット１２４と補助スリット１４２で合計３箇所に増えているので、第１可撓部１２６の移動に伴い第２可撓部１２８が移動（相対移動）したとき、３箇所のスリットの大きさだけ第２可撓部１２８が自由に移動でき、ＣＣＤ素子３６の移動時に作用する反力を抑えることができる。
【００８５】
次に、本発明のフレキシブル配線板及び撮像装置の第３実施形態を図面に基づき説明する。なお、前述した第１、第２実施形態と基本的に同一のものには、前記第１、第２実施形態と同一の符号を付与してその説明を省略する。
【００８６】
図９（ａ）には、前述のフレキシブル配線板３０において、第１立面部１０２の上部及び第２立面部１０４の上部にスリット８８を横断する第３折曲線３３を設けて、略９０°に折り曲げた状態が示されている。同様に、図９（ｂ）には、前述のフレキシブル配線板１１０において、第１立面部１０２の上部及び第２立面部１０４の上部にスリット８８を横断する第３折曲線３３を設けて、略９０°に折り曲げた状態が示されている。
【００８７】
また、図９（ｃ）には、前述のフレキシブル配線板１２０において、第１立面部１３６の上部及び第２立面部１３８の上部にスリット１２４を横断する第３折曲線１２３を設けて、略９０°に折り曲げた状態が示されている。図９（ｄ）には、前述のフレキシブル配線板１４０において、第１立面部１３６の上部及び第２立面部１３８の上部に、スリット１２４及び補助スリット１４２を横断する第３折曲線１４３を設けて、略９０°に折り曲げた状態が示されている。
【００８８】
次に、本発明の第３実施形態の作用について説明する。
【００８９】
図９（ａ）〜（ｄ）に示すように、各フレキシブル配線板３０、１１０、１２０、１４０は、第３折曲線３３、１１３、１２３、１４３で略９０°に折り曲げたことにより、第１立面部１０２、１３６及び第２立面部１０４、１３８の領域において、下端から上端まで全てスリット８８、スリット１２４、補助スリット１４２が存在することになる。
【００９０】
これにより、ＣＣＤ素子３６と接続端子部８２が各スリットと交差する方向に移動するときに、中継部９４又は中継部１３０の剛性によって反力が作用して移動が抑制されることが抑えられ、ＣＣＤ素子３６の移動時の負荷（反力）が低減される。
【００９１】
次に、本発明のフレキシブル配線板及び撮像装置の第４実施形態を図面に基づき説明する。なお、前述した第１実施形態と基本的に同一のものには、前記第１実施形態と同一の符号を付与してその説明を省略する。
【００９２】
図１０（ａ）は、折り曲げ前のフレキシブル配線板１５０をＣＣＤ素子３６の取付け面側から見た状態を示している。また、図１０（ｂ）は、折り曲げ後のフレキシブル配線板１５０の形状を示している。
【００９３】
フレキシブル配線板１５０は、ポリイミドフィルム、あるいは、ＰＥＴフィルム等の樹脂からなるフレキシブル基板１５２を基材としている。フレキシブル基板１５２は、ＸＹ面内で略十文字状の外形に形成されており、左右方向（Ｘ軸方向）の左側が第１可撓部１５４、右側が第２可撓部１５６に区分されている。
【００９４】
第１可撓部１５４と第２可撓部１５６の間には、縦方向（Ｙ軸方向）に矩形状のスリット１５８が形成されている。スリット１５８の長さ方向両端には、第１可撓部１５４と第２可撓部１５６をつなぐ２つの中継部１６０、１６２が設けられている。
【００９５】
また、第１可撓部１５４の第１取付面１６４上には、ＣＣＤ素子３６が実装される実装電極部８３が設けられ、第２可撓部１５６の第２取付面１６６の端部には、接続端子部８２が設けられている。実装電極部８３と接続端子部８２は、配線８６Ａ、８６Ｂによって電気的に接続されている。
【００９６】
ここで、第１可撓部１５４と第２可撓部１５６が、スリット１５８を挟んで対向する領域において、第１可撓部１５４には、配線８６Ａ、８６Ｂと直交する方向（Ｘ軸方向）に、第１折曲線１６８Ａ、１６８Ｂが設けられている。また、第２可撓部１５６には、配線８６Ａ、８６Ｂと直交する方向（Ｘ軸方向）に、第２折曲線１６９Ａ、１６９Ｂが設けられている。さらに、第１可撓部１５４及び第２可撓部１５６の中継部１６０、１６２側には、第３折曲線１７０Ａ、１７０Ｂが設けられている。第１折曲線１６８Ａ、１６８Ｂ、第２折曲線１６９Ａ、１６９Ｂ、第３折曲線１７０Ａ、１７０Ｂが折り曲げられる前に、ＣＣＤ素子３６が、実装電極部８３に半田付けされる。
【００９７】
図１０（ｂ）に示すように、フレキシブル配線板１５０の製造時において、フレキシブル基板１５２は、第１折曲線１６８Ａ、１６８Ｂ、第２折曲線１６９Ａ、１６９Ｂ、第３折曲線１７０Ａ、１７０Ｂで折り曲げられ、第１立面部１７２Ａ、１７２Ｂと第２立面部１７４Ａ、１７４Ｂが形成され、中継部１６０と中継部１６２が対向配置される。第１立面部１７２Ａと第２立面部１７４Ａ、第１立面部１７２Ｂと第２立面部１７４Ｂは、それぞれ同一平面内に配置される。
【００９８】
続いて、接続端子部８２が、駆動回路２８のコネクタ２９（図１参照）に挿入されて接続されることにより、第２取付面１６６側が固定される。一方、第１取付面１６４側は、第１ステージ３２（図２（ｂ）参照）に接着固定される。そして、前述の撮像モジュール２６やレンズ１６等（図１参照）の各部品が取付けられ、デジタルカメラが組み立てられる。なお、配線の図示は省略している。
【００９９】
次に、本発明の第４実施形態の作用について説明する。
【０１００】
図１１（ａ）に示すように、ＣＣＤ素子３６のＹ軸方向の移動時には、第１立面部１７２Ａと第２立面部１７４Ａ、第１立面部１７２Ｂと第２立面部１７４Ｂが、それぞれ同一平面内に配置されているため、Ｙ軸方向に作用する力が、第１立面部１７２Ａ、第２立面部１７４Ａ、第１立面部１７２Ｂ、及び第２立面部１７４Ｂの面外方向からの力となる。
【０１０１】
この面外方向の力が作用することにより、対向する１組の第１立面部１７２Ａと第１立面部１７２Ｂ、又は対向する１組の第２立面部１７４Ａと第２立面部１７４Ｂが、それぞれ平行四辺形状に容易に変形する。このようにして、ＣＣＤ素子３６に余計な反力（負荷）を与えずに移動させることができる。
【０１０２】
一方、図１１（ｂ）に示すように、ＣＣＤ素子３６のＸ軸方向の移動時には、スリット１５８の大きさだけ、第１可撓部１５４が容易に移動でき、反力を抑えることができる。
【０１０３】
次に、本発明のフレキシブル配線板及び撮像装置の第５実施形態を図面に基づき説明する。なお、前述した第１実施形態と基本的に同一のものには、前記第１実施形態と同一の符号を付与してその説明を省略する。
【０１０４】
図１２（ａ）に示すように、第５実施形態のフレキシブル配線板１８０は、フレキシブル配線板３０（図３参照）のスリット８８の長さ方向に沿った折曲線１８２を、中継部９４に設定している。また、図１２（ｂ）に示すように、フレキシブル配線板１８０は、第１立面部１０２と第２立面部１０４が成す角度θ３が直角（９０°）又は直角に近い角度となるように、折曲線１８２で折り曲げられている。なお、駆動回路、撮像モジュール、配線等の図示は省略している。
【０１０５】
次に、本発明の第５実施形態の作用について説明する。
【０１０６】
フレキシブル配線板１８０は、第１立面部１０２と第２立面部１０４の間の角度が直角（又は直角に近い角度）であるため、第１可撓部９０のＣＣＤ素子３６をＸ軸方向、Ｙ軸方向にそれぞれ移動させるときに、第２立面部１０４によって第１立面部１０２の移動が妨げられにくくなる。このため、ＣＣＤ素子３６の移動時に、第１可撓部９０と第２可撓部９２に作用する反力を抑えることができ、第１可撓部９０のＣＣＤ素子３６の移動が容易となる。
【０１０７】
なお、本発明は上記の実施形態に限定されない。各フレキシブル配線板は、デジタルカメラ以外に、時計、ノートパソコン、プリンタ等の各種電子機器に適用することができる。また、各フレキシブル基板の折曲線は、配線と必ずしも直交する方向に設定されている必要はなく、フレキシブル基板の外形や、フレキシブル基板上の配線パターンに応じて、設定方向が適宜変更されてもよい。さらに、第１折曲線と第２折曲線は、同一直線上にあっても、なくてもよい。また、ＣＣＤ素子以外に、ＣＭＯＳ型の撮像素子を用いてもよく、他の撮像素子を用いてもよい。
【図面の簡単な説明】
【０１０８】
【図１】本発明の第１実施形態に係るデジタルカメラの分解図である。
【図２】本発明の第１実施形態に係る撮像モジュールの斜視図及び分解図である。
【図３】本発明の第１実施形態に係るフレキシブル配線板の折り曲げ前後の模式図である。
【図４】（ａ）比較例１のフレキシブル配線板を示した模式図ある。（ｂ）比較例２のフレキシブル配線板を示した模式図である。
【図５】フレキシブル配線板の変位量と作用する反力の関係を示したグラフである。
【図６】本発明の第１実施形態に係るフレキシブル基板の他の実施例を示した模式図である。
【図７】本発明の第２実施形態に係るフレキシブル配線板の折り曲げ前後の模式図である。
【図８】本発明の第２実施形態に係るフレキシブル配線板の他の実施例を示した折り曲げ前後の模式図である。
【図９】本発明の第３実施形態に係るフレキシブル配線板の折り曲げ後の模式図である。
【図１０】本発明の第４実施形態に係るフレキシブル配線板の折り曲げ前後の模式図である。
【図１１】本発明の第４実施形態に係るフレキシブル配線板の移動状態を示す模式図である。
【図１２】本発明の第５実施形態に係るフレキシブル配線板の折り曲げ前後の模式図である。
【符号の説明】
【０１０９】
１０  デジタルカメラ（撮像装置）
２６  撮像モジュール（移動手段）
２８  駆動回路（駆動手段）
３０  フレキシブル配線板（フレキシブル配線板）
３３  第３折曲線（第３折曲部）
３６  ＣＣＤ素子（撮像素子）
８１  第１取付面（第１取付面）
８２  接続端子部（第２電極）
８３  実装電極部（第１電極）
８４  フレキシブル基板（フレキシブル基板）
８５  第２取付面（第２取付面）
８６  配線（配線部）
８８  スリット（スリット）
９０  第１可撓部（第１フレキシブル基板部）
９２  第２可撓部（第２フレキシブル基板部）
９４  中継部（中継基板部）
９６  第１折曲線（第１折曲部）
９８  第２折曲線（第２折曲部）
１０２  第１立面部（第１立面部）
１０４  第２立面部（第２立面部）
１１０  フレキシブル配線板（フレキシブル配線板）
１２０  フレキシブル配線板（フレキシブル配線板）
１４０  フレキシブル配線板（フレキシブル配線板）
１４２  補助スリット（補助スリット）
１５０  フレキシブル配線板（フレキシブル配線板）
１８０  フレキシブル配線板（フレキシブル配線板）
【図１】
2009128521.tif 000003
【図２】
2009128521.tif 000004
【図３】
2009128521.tif 000005
【図４】
2009128521.tif 000006
【図５】
2009128521.tif 000007
【図６】
2009128521.tif 000008
【図７】
2009128521.tif 000009
【図８】
2009128521.tif 000010
【図９】
2009128521.tif 000011
【図１０】
2009128521.tif 000012
【図１１】
2009128521.tif 000013
【図１２】
2009128521.tif 000014